(57)【要約】【課題】従来のパワークラスＩＩＩの低出力多モード移動体通信用送受信装置を使用して必要に応じてパワークラスＩに対応できる高出力の多モード移動体通信用送受信装置を簡単に構成する。【解決手段】多モード移動体通信用送受信装置１には少なくともＡＭＰＳ方式の送信信号を出力する送信回路７と、少なくともＡＭＰＳ方式の受信信号を受信する受信回路１０とを有し、ブースター装置２０にはアンテナ接続用の第一の端子２１と、第一の端子２１に結合された電力増幅回路２５ａと、第一の端子２１に結合された受信伝送回路２６とを設け、ブースター装置２０の装着時には送信回路７と電力増幅回路２５ａとを直列に接続すると共に、受信伝送回路２６と受信回路１０とを直列に接続した。【選択図】　　　　図１
2004147191.tif 000002
【特許請求の範囲】
【請求項１】
少なくともＡＭＰＳ方式を含む複数の通信方式に共用される多モード移動体通信用送受信装置と、前記多モード移動体通信用送受信装置に装着可能なブースター装置とを備え、前記多モード移動体通信用送受信装置には少なくとも前記ＡＭＰＳ方式の送信信号を出力する送信回路と、少なくとも前記ＡＭＰＳ方式の受信信号を受信する受信回路とを有し、前記ブースター装置にはアンテナ接続用の第一の端子と、前記第一の端子に結合された電力増幅回路と、前記第一の端子に結合された受信伝送回路とを設け、前記ブースター装置の装着時には前記送信回路と前記電力増幅回路とを直列に接続すると共に、前記受信伝送回路と前記受信回路とを直列に接続したことを特徴とする高出力多モード移動体通信用送受信装置。
【請求項２】
前記ブースター装置には前記電力増幅回路の入力端に接続された第二の端子と、前記受信伝送回路に接続された第三の端子とを設け、前記多モード移動体通信用送受信装置には、アンテナ接続用の第四の端子と、前記送信信号出力用の第五の端子と、前記受信信号入力用の第六の端子と、前記送信回路から出力される前記送信信号を前記第四の端子又は前記第五の端子に切り替えて出力する第一の切替手段と、前記第四の端子又は前記第六の端子に入力された前記受信信号を切り替えて前記受信回路に入力する第二の切替手段とを設け、前記ブースター装置の装着時には前記第二の端子を前記第五の端子に接続すると共に、前記第三の端子を前記第六の端子に接続したことを特徴とする請求項１に記載の高出力他モード移動体通信用送受信装置。
【請求項３】
前記第一の切替手段によって前記送信回路の出力端を前記第四の端子に結合したときには、前記第二の切替手段によって前記受信回路の入力端を前記第四の端子に結合したことを特徴とする請求項２に記載の高出力多モード移動体通信用送受信装置。
【請求項４】
前記ブースター装置は前記電力増幅回路の出力端及び前記受信伝送回路を前記第一の端子に結合するデュプレクサを有し、前記受信伝送回路を低雑音増幅回路と可変アッテネータとの直列回路によって構成したことを特徴とする請求項２又は３に記載の高出力多モード移動体通信用送受信装置。
【発明の詳細な説明】
【０００１】
【発明の属する技術分野】
本発明は、複数の方式に共用される携帯電話機等の多モード移動体通信用送受信装置と共に使用されるブースター装置に関する。
【０００２】
【従来の技術】
アメリカの携帯電話にはＣＤＭＡ（符号分割多元接続：Ｃｏｄｅ　Ｄｉｖｉｓｉｏｎ　Ｍｕｌｔｉｐｌｅ　Ａｃｃｅｓｓ）方式やＡＭＰＳ（高度移動電話システム：Ａｄｖａｎｃｅｄ　ＭｏｂｉｌｅＰｈｏｎｅ　Ｓｅｒｖｉｃｅｓ）方式やＰＣＳ方式（Ｐｅｒｓｏｎａｌ　Ｃｏｍｍｕｎｉｃａｔｉｏｎ　Ｓｅｒｖｉｃｅｓ）が用いられ、これらのうちの２方式又は３方式を１台の携帯電話機で対応できる多モード移動体通信用送受信装置が実用化されている。
【０００３】
図３は従来の多モード移動体通信用送受信装置の構成を示す。ＰＣＳ方式で使用される１９００ＭＨｚ帯の送信信号又はＡＭＰＳ方式で使用される８００ＭＨｚ帯の送信信号はそれぞれのバンドパスフィルタ３１、３２を介して共通の電力増幅器３３に入力される。電力増幅器３３の出力側には１９００ＭＨｚのマッチング回路３４と８００ＭＨｚのマッチング回路３５とが設けられ、さらに、マッチング回路３４の出力側にはＰＣＳ方式で使用されるデュプレクサ３６が設けられ、マッチング回路３５の出力側にはＡＭＰＳ方式で使用されるデュプレクサ３７が設けられる。
【０００４】
デュプレクサ３６の入力端はマッチング回路３４に接続され、出力端はＰＣＳ方式の受信回路３８に接続される。また、デュプレクサ３７の入力端はマッチング回路３５に接続され、出力端はＡＭＰＳ方式の受信回路３９に接続される。さらに、二つのデュプレクサ３６、３７の入出力端はそれぞれダイプレクサ４０を介してアンテナ４１に接続される（例えば、特許文献１参照。）。
【０００５】
【特許文献１】
特表２００２−５２８９４６号公報（図２）
【０００６】
【発明が解決しようとする課題】
上記構成においては電力増幅器はＰＣＳ方式とＡＭＰＳ方式とに共用されているが、通常のＡＭＰＳ方式における送信信号はパワークラスＩＩＩの２８ｄＢｍまでしか出力できないようになっている。
一方、多モード移動体通信用送受信装置は緊急通報用のＴｅｌｅｍａｔｉｃｓシステムに使用される場合がある。このシステムではパワークラスＩである最大３６ｄｂｍの送信パワーが要求される。従って、このような要求に応えるには従来の多モード移動体通信用送受信装置以外にパワーアップした高出力の多モード移動体通信用送受信装置を準備しておく必要がある。
【０００７】
しかし、多モード移動体通信用送受信装置の製造者にとってはパワークラスの異なる二種類を持つことは製造管理が煩雑となって装置のコストアップとなる。本発明では、従来のパワークラスＩＩＩの低出力多モード移動体通信用送受信装置を使用して必要に応じてパワークラスＩに対応できる高出力の多モード移動体通信用送受信装置を簡単に実現できるブースター装置を提供することを目的とする。
【０００８】
【課題を解決するための手段】
前記課題を解決するため、本発明は、少なくともＡＭＰＳ方式を含む複数の通信方式に共用される多モード移動体通信用送受信装置と、前記多モード移動体通信用送受信装置に装着可能なブースター装置とを備え、前記多モード移動体通信用送受信装置には少なくとも前記ＡＭＰＳ方式の送信信号を出力する送信回路と、少なくとも前記ＡＭＰＳ方式の受信信号を受信する受信回路とを有し、前記ブースター装置にはアンテナ接続用の第一の端子と、前記第一の端子に結合された電力増幅回路と、前記第一の端子に結合された受信伝送回路とを設け、前記ブースター装置の装着時には前記送信回路と前記電力増幅回路とを直列に接続すると共に、前記受信伝送回路と前記受信回路とを直列に接続した。
【０００９】
また、前記ブースター装置には前記電力増幅回路の入力端に接続された第二の端子と、前記受信伝送回路に接続された第三の端子とを設け、前記多モード移動体通信用送受信装置には、アンテナ接続用の第四の端子と、前記送信信号出力用の第五の端子と、前記受信信号入力用の第六の端子と、前記送信回路から出力される前記送信信号を前記第四の端子又は前記第五の端子に切り替えて出力する第一の切替手段と、前記第四の端子又は前記第六の端子に入力された前記受信信号を切り替えて前記受信回路に入力する第二の切替手段とを設け、前記ブースター装置の装着時には前記第二の端子を前記第五の端子に接続すると共に、前記第三の端子を前記第六の端子に接続した。
【００１０】
また、前記第一の切替手段によって前記送信回路の出力端を前記第四の端子に結合したときには、前記第二の切替手段によって前記受信回路の入力端を前記第四の端子に結合した。
【００１１】
また、前記ブースター装置は前記電力増幅回路の出力端及び前記受信伝送回路を前記第一の端子に結合するデュプレクサを有し、前記受信伝送回路を低雑音増幅回路と可変アッテネータとの直列回路によって構成した。
【００１２】
【発明の実施の形態】
図１を用いて本発明の高出力多モード移動体通信用送受信装置を説明する。
【００１３】
低出力多モード移動体通信用送受信装置１は８００ＭＨｚ帯で使用されるＡＭＰＳ方式及びＣＤＭＡ方式と１９００ＭＨｚ帯で使用されるＰＣＳ方式との三方式に共用され、アンテナ接続用の第四の端子２に出力されるＡＭＰＳ方式の送信パワーは最大で２８ｄＢｍに制限されている。このレベルはパワークラスＩＩＩの規格に対応している。第四の端子２には８００ＭＨｚ帯の送受信信号と１９００ＭＨｚ帯の送受信信号とを分離するダイプレクサ３の共通入出力端３ａが接続される。ダイプレクサ３の８００ＭＨｚ側入出力端３ｂは第一のデュプレクサ４の入出力端４ａに接続される。第一のデュプレクサ４の入力端４ｂ又は送信信号出力用の第五の端子５のいずれかが第一の切替手段６によって第一の送信回路７の出力端７ａに接続される。第一の送信回路７はＡＭＰＳ方式及びＣＤＭＡ方式の送信時に共用される。
【００１４】
また、第一のデュプレクサ４の出力端４ｃ又は受信信号が入力される第六の端子８のいずれかが第二の切替手段９によって第一の受信回路１０の入力端１０ａに接続される。第一の受信回路１０はＡＭＰＳ方式及びＣＤＭＡ方式の受信時に共用される。
【００１５】
そして、第一の切替手段６と第二の切替手段９とは互いに連動し、第一の送信回路７の出力端７ａを第五の端子５に接続するときには第一の受信回路１０の入力端１０ａを第六の端子８に接続し、第一の送信回路７の出力端７ａを第一のデュプレクサ４の入力端に接続するときには第一の受信回路１０の入力端１０ａを第一のデュプレクサ４の出力端に接続する。
【００１６】
一方、ダイプレクサ３の１９００ＭＨｚ側入出力端３ｃは第二のデュプレクサ１１の入出力端１１ａに接続される。第二のデュプレクサ１１の入力端１１ｂには第二の送信回路１２の出力端１２ａが接続される。第二の送信回路１２はＰＣＳ方式の送信時に使用される。第二のデュプレクサ１１の出力端１１ｃには第二の受信回路１３の入力端１３ａが接続される。第二の受信回路１３はＰＣＳ方式の受信時に使用される。
【００１７】
なお、各送信回路７、１２の入力端側及び各受信回路１０、１３の出力端側にはベースバンド処理回路１４が設けられ、ここから出力される複数の制御信号Ｃによって各送信回路７、１２や各受信回路１０、１３の動作切り替えや各切替手段６、９の接続切替が行われる。
【００１８】
そして、送受信装置１が単独で使用されるときは、第一の送信回路７は第一の切替手段６によって第一のデュプレクサ４に接続され、第一の受信回路１０は第二の切替手段９によって第一のデュプレクサ４に接続される。
よって、第一の送信回路７と第一の受信回路とが第一のデュプレクサ４とダイプレクサ３とを介して第四の端子２に結合されるので、各方式の送信信号は第四の端子４を介してアンテナに出力される。この時、第一の送信回路７からのＡＭＰＳ方式の送信信号が第四の端子４から出力される場合のパワーレベルはパワークラスＩＩＩに適合するように最大で２８ｄＢｍである。アンテナで受信した各方式の受信信号は第四の端子４を介して各受信回路１０、１３に入力される。
【００１９】
ブースター装置２０はＡＭＰＳ方式の送信パワーを３６ｄＢｍまで高くしてパワークラスＩに適合させる時に使用される。ブースター装置２０にはアンテナ接続用の第一の端子２１と、送信信号入力用の第二の端子２２と、受信信号出力用の第三の端子２３とが設けられ、送受信装置１に装着可能な構成となっており、装着時には第二の端子２２と第五の端子５とが接続され、第三の端子２３と第六の端子８が接続される。
【００２０】
第一の端子２１には第三のデュプレクサ２４の入出力端２４ａが接続され、第三のデュプレクサ２４の入力端２４ｂと第二の端子との間には送信伝送回路２５が介挿される。送信伝送回路２５は電力増幅回路２５ａとその前段に設けられたバンドパスフィルタ２５ｂとから構成される。また、デュプレクサ２４の出力端２４ｃと第三の端子２３との間には受信伝送回路２６が介挿される。受信伝送回路２６は図１に示すように単なる線路で構成される場合と、図２に示すように低雑音増幅回路２６ａとその次段に設けられた可変アッテネータ２６ｂから構成される場合とがある。可変アッテネータ２６ｂは制御信号Ｃによって減衰量が制御される。
【００２１】
ブースター装置２０を送受信装置１に装着してＡＭＰＳ方式の送信パワーをパワークラスＩまで高める場合には、第一の切替手段６によって第一の送信回路７の出力端７ａを第五の端子５に接続すると共に、第二の切替手段９によって第一の受信回路１０の入力端１０ａを第六の端子８に接続する。すると、第一の送信回路７と電力増幅回路２５ａとが直列に接続されると共に、第一の受信回路１０と受信伝送回路２６とが直列に接続される。よって、送信信号は電力増幅回路２５ａによって増幅され、高出力多モード移動体通信用送受信装置が構成される。ブースター装置２０の受信伝送回路２６に低雑音増幅回路２６ａと可変アッテネータ２６ｂとを設けておけば、第三のデュプレクサ２４の挿入損失分を正確に補正して受信信号のレベル合わせができる。
【００２２】
なお、ブースター装置２０を送受信装置１に装着したままでも、第一の切替手段６によって第一の送信回路７を第一のデュプレクサ４に接続し、第二の切替手段９によって第一の受信回路１０を第一のデュプレクサ４に接続しておけば、ＡＭＰＳ方式以外の他の方式でも使用可能である。
【００２３】
【発明の効果】
以上述べたように、本発明は、多モード移動体通信用送受信装置には少なくともＡＭＰＳ方式の送信信号を出力する送信回路と、少なくともＡＭＰＳ方式の受信信号を受信する受信回路とを有し、ブースター装置にはアンテナ接続用の第一の端子と、第一の端子に結合された電力増幅回路と、第一の端子に結合された受信伝送回路とを設け、ブースター装置の装着時には送信回路と電力増幅回路とを直列に接続すると共に、受信伝送回路と受信回路とを直列に接続したので、ＡＭＰＳ方式の送信パワーを大きくしてパワークラスＩに適合する高出力多モード移動体通信用送受信装置が簡単に構成できる。
【００２４】
また、ブースター装置には電力増幅回路の入力端に接続された第二の端子と、受信伝送回路に接続された第三の端子とを設け、多モード移動体通信用送受信装置にはアンテナ接続用の第四の端子と、送信信号出力用の第五の端子と、受信信号入力用の第六の端子と、送信信号を第四の端子又は第五の端子に切り替えて出力する第一の切替手段と、受信信号を切り替えて受信回路に入力する第二の切替手段とを設け、ブースター装置の装着時には第二の端子を第五の端子に接続すると共に、第三の端子を第六の端子に接続したので、送信回路と電力増幅回路とを直列に接続すると共に、受信伝送回路と受信回路とを直列に接続することができる。
【００２５】
また、第一の切替手段によって送信回路の出力端を第四の端子に結合したときには、第二の切替手段によって受信回路の入力端を第四の端子に結合したので、ブースター装置を装着したままでもＡＭＰＳ方式以外の多の方式で使用することができる。
【００２６】
また、ブースター装置は電力増幅回路の出力端及び受信伝送回路を第一の端子に結合するデュプレクサを有し、受信伝送回路を低雑音増幅回路と可変アッテネータとの直列回路によって構成したので、デュプレクサの挿入損失分を正確に補正して受信信号のレベル合わせができる。
【図面の簡単な説明】
【図１】本発明の高出力多モード移動体通信用送受信装置の構成を示す回路図である。
【図２】本発明の高出力多モード移動体通信用送受信装置におけるブースター装置の他の構成を示す回路図である。
【図３】従来の多モード移動体通信用送受信装置の構成を示す回路図である。
【符号の説明】
１　低出力多モード移動体通信用送受信装置
２　第四の端子
３　ダイプレクサ
４　第一のデュプレクサ
５　第五の端子
６　第一の切替手段
７　第一の送信回路
８　第六の端子
９　第二の切替手段
１０　第一の受信回路
１１　第二のデュプレクサ
１２　第二の送信回路
１３　第二の受信回路
１４　ベースバンド処理回路
２０　ブースター装置
２１　第一の端子
２２　第二の端子
２３　第三の端子
２４　第三のデュプレクサ
２５　送信伝送回路
２５ａ　電力増幅回路
２５ｂ　バンドパスフィルタ
２６　受信伝送回路
２６ａ　低雑音増幅回路
２６ｂ　可変アッテネータ
【図１】
2004147191.tif 000003
【図２】
2004147191.tif 000004
【図３】
2004147191.tif 000005